(57)【要約】【課題】オプション装置を装着可能な画像形成装置において、従来技術よりも高い省エネ効果を得る。【解決手段】記録媒体に画像を形成する装置本体と、前記装置本体から電源供給を受けて動作するオプション装置とを備えた画像形成装置において、前記装置本体は、前記オプション装置の動作開始時に前記オプション装置の電源をオンにする一方、前記オプション装置の動作終了時に前記オプション装置の電源をオフにする。【選択図】図３
2014010232.tif 000002
【特許請求の範囲】
【請求項１】
記録媒体に画像を形成する装置本体と、前記装置本体から電源供給を受けて動作するオプション装置とを備えた画像形成装置において、
前記装置本体は、前記オプション装置の動作開始時に前記オプション装置の電源をオンにする一方、前記オプション装置の動作終了時に前記オプション装置の電源をオフにすることを特徴とする画像形成装置。
【請求項２】
前記装置本体は、前記オプション装置の動作終了時に前記オプション装置の電源をオフにした後、自装置が不使用状態のまま一定時間経過した場合はスリープモードに切替わることを特徴とする請求項１に記載の画像形成装置。
【請求項３】
前記装置本体は、前記スリープモードから通常動作モードに復帰した後、前記オプション装置の電源をオンにして前記オプション装置との初期通信を行い、接続確認後に前記オプション装置の電源をオフにすることを特徴とする請求項２に記載の画像形成装置。
【請求項４】
前記オプション装置は、原稿読取位置に原稿を搬送する自動原稿送り装置であり、
前記装置本体は、前記装置本体に設けられたスタートキーの操作に応じて前記自動原稿送り装置の電源をオンにし、前記自動原稿送り装置による原稿送り動作が終了することにより前記自動原稿送り装置の電源をオフにすることを特徴とする請求項１〜３のいずれか一項に記載の画像形成装置。
【発明の詳細な説明】
【技術分野】
【０００１】
本発明は、コピー機、複合機等の画像形成装置に関する。
【背景技術】
【０００２】
従来から、プリンターや複写機、複合機等の画像形成装置の中には、機能を拡張或いは追加するためのオプション装置を装着可能な機種がある。下記特許文献１には、オプション装置（周辺装置）を装着可能な画像形成装置において、装置本体と独立してオプション装置を省エネモードに切替え可能な技術が開示されている。
【先行技術文献】
【特許文献】
【０００３】
【特許文献１】特開２００９−２９４３９５号公報
【発明の概要】
【発明が解決しようとする課題】
【０００４】
上記従来技術は、装置本体とオプション装置とにそれぞれ独立して電源供給できる構成としておき、一定時間に亘ってオプション装置が使用されない場合に、オプション装置への電源供給を停止するものであるので、一定時間が経過するまではオプション装置に電源が供給されることになり、省エネ効果を最大化するという観点から改善の余地があった。
【０００５】
本発明は、上述した事情に鑑みてなされたものであり、オプション装置を装着可能な画像形成装置において、従来技術よりも高い省エネ効果を得ることを目的とする。
【課題を解決するための手段】
【０００６】
上記課題を解決するために、本発明では、画像形成装置に係る第１の解決手段として、記録媒体に画像を形成する装置本体と、前記装置本体から電源供給を受けて動作するオプション装置とを備えた画像形成装置において、前記装置本体は、前記オプション装置の動作開始時に前記オプション装置の電源をオンにする一方、前記オプション装置の動作終了時に前記オプション装置の電源をオフにする、という手段を採用する。
【０００７】
また、本発明では、画像形成装置に係る第２の解決手段として、上記第１の解決手段において、前記装置本体は、前記オプション装置の動作終了時に前記オプション装置の電源をオフにした後、自装置が不使用状態のまま一定時間経過した場合はスリープモードに切替わる、という手段を採用する。
【０００８】
また、本発明では、画像形成装置に係る第３の解決手段として、上記第２の解決手段において、前記装置本体は、前記スリープモードから通常動作モードに復帰した後、前記オプション装置の電源をオンにして前記オプション装置との初期通信を行い、接続確認後に前記オプション装置の電源をオフにする、という手段を採用する。
【０００９】
また、本発明では、画像形成装置に係る第４の解決手段として、上記第１〜第３のいずれか一つの解決手段において、前記オプション装置は、原稿読取位置に原稿を搬送する自動原稿送り装置であり、前記装置本体は、前記装置本体に設けられたスタートキーの操作に応じて前記自動原稿送り装置の電源をオンにし、前記自動原稿送り装置による原稿送り動作が終了することにより前記自動原稿送り装置の電源をオフにする、という手段を採用する。
【発明の効果】
【００１０】
本発明によれば、オプション装置の動作中に限ってオプション装置に電源が供給され、オプション装置の動作終了時に即座にオプション装置の電源がオフとなるので、従来技術よりも高い省エネ効果を得ることが可能となる。
【図面の簡単な説明】
【００１１】
【図１】本実施形態に係る複合機Ａの要部構成を示す正面透視図である。
【図２】本実施形態に係る複合機Ａの機能ブロック図である。
【図３】複合機Ａの制御部６０が省エネ機能を実現するために実行する処理を示すフローチャートである。
【発明を実施するための形態】
【００１２】
以下、図面を参照しながら、本発明の一実施形態について説明する。なお、以下では、本発明に係る画像形成装置として、コピー機、プリンター及びファクシミリ等の機能を併せ持つ電子写真方式の複合機を例示して説明する。
【００１３】
図１は、本実施形態に係る複合機Ａの要部構成を示す正面透視図である。この図に示すように、本実施形態に係る複合機Ａは、記録媒体である印刷用紙に画像を形成する装置本体１と、この装置本体１から電源供給を受けて動作するオプション装置として自動原稿送り装置２（ＡＤＦ：Auto Document Feeder）を備えている。
【００１４】
装置本体１は、原稿を読み取ってその原稿の画像データ（原稿画像データ）を生成する原稿読取部１０と、原稿読取部１０から得られた原稿画像データまたは通信回線を介して外部機器から受信した画像データ（受信画像データ）に基づくトナー画像を印刷用紙上に形成するトナー画像形成部２０と、印刷用紙上にトナー画像を定着させて完成画像とする定着部３０と、印刷用紙を搬送するための用紙搬送機構４０と、各種サイズの印刷用紙を収容するための給紙カセット５０ａ、５０ｂ、５０ｃとを備えている。
【００１５】
原稿読取部１０は、プラテンガラス１１、白色基準板１２、フルレートキャリッジ１３、ハーフレートキャリッジ１４、集光レンズ１５及びＣＣＤ(Charge Coupled Devices)センサー１６を備えている。
【００１６】
プラテンガラス１１は、読み取り対象の原稿を１枚ずつセットするためのガラス板である。白色基準板１２は、シェーディング補正用の白色基準データを取得するための白色板である。フルレートキャリッジ１３は、プラテンガラス１１の下方において、不図示のキャリッジ搬送機構によりプラテンガラス１１に沿って左右方向（走査方向）に往復移動可能に設けられており、照明光を斜め上方に向けて出射するランプ１３ａと、照明光の反射光を後述するハーフレートキャリッジ１４に向けて反射するミラー１３ｂを内蔵する。
【００１７】
ハーフレートキャリッジ１４は、フルレートキャリッジ１３と同様に、不図示のキャリッジ搬送機構によりプラテンガラス１１に沿って左右方向に往復移動可能に設けられており、フルレートキャリッジ１３のミラー１３ｂからの入射光を下方に向けて反射するミラー１４ａと、ミラー１４ａからの入射光を後述する集光レンズ１５に向けて反射するミラー１４ｂを内蔵する。なお、キャリッジ搬送機構により、フルレートキャリッジ１３の移動量とハーフレートキャリッジ１４の移動量との比率は１：０．５となるように制御されている。これにより、集光レンズ１５に達するまでの照明光の光路長が一定となるように制御される。
【００１８】
プラテンガラス１１上にセットされた原稿を読み取る場合は、フルレートキャリッジ１３及びハーフレートキャリッジ１４を走査方向に移動させることで原稿をスキャンするが、後述の自動原稿送り装置２によって原稿を自動給紙する場合には、フルレートキャリッジ１３及びハーフレートキャリッジ１４を所定の原稿読取位置にて待機させ、原稿側を移動（搬送）させることで複数枚セットされた原稿を連続的にスキャンする。
【００１９】
集光レンズ１５は、ハーフレートキャリッジ１４のミラー１４ｂからの入射光を集光してＣＣＤセンサー１６の受光面に結像させる。ＣＣＤセンサー１６は、不図示のＣＣＤ駆動部から供給されるタイミング信号に同期して作動し、受光面にて受光した光を光電変換することにより、読み取った原稿の画像に応じたアナログ電圧信号を生成してＡＦＥ（アナログフロントエンド：図示省略）に出力する。なお、ＡＦＥは、上記のアナログ電圧信号を所定のゲイン設定値にて増幅した後にデジタル変換することで、読み取った原稿の画像を表す原稿画像データを生成し、この原稿画像データを後述の装置本体１の制御部７０に出力する。
【００２０】
トナー画像形成部２０は、中間転写ベルト２１と、Ｃ（シアン）、Ｍ（マゼンダ）、Ｙ（イエロー）、Ｋ（ブラック）の各色にそれぞれ対応したトナー画像形成ユニットＦ（ＦＹ、ＦＭ、ＦＣ、ＦＫ）と、駆動ローラー２２と、テンションローラー２３と、二次転写ローラー２４と、クリーナー２５とから構成されている。
【００２１】
中間転写ベルト２１は、各トナー画像形成ユニットＦ（ＦＹ、ＦＭ、ＦＣ、ＦＫ）によって形成（現像）される各色のトナー画像を順次重ねて１次転写するための中間転写体であり、駆動ローラー２２及びテンションローラー２３に張架されて、図１において時計回りに回走する構成となっている。
【００２２】
トナー画像形成ユニットＦ（ＦＹ、ＦＭ、ＦＣ、ＦＫ）は、それぞれ感光体ドラムＦａと、帯電部Ｆｂと、露光部Ｆｃと、現像部Ｆｄと、一次転写ローラーＦｅとを備え、さらに不図示のクリーニング装置及び除電装置等とを備える。感光体ドラムＦａは、円柱に形状設定され、その周面に静電潜像及び当該静電潜像に基づくトナー画像が形成されるものである。帯電部Ｆｂは、感光体ドラムＦａに対して対向配置され、感光体ドラムＦａの周面を帯電状態とするものである。
【００２３】
露光部Ｆｃは、レーザー光を帯電状態の感光体ドラムＦａの周面において走査して静電潜像を形成するものであり、詳細には、トナーを配置すべきドット位置に対応する感光体ドラムＦａ上の位置に対してレーザー光を照射する。現像部Ｆｄは、感光体ドラムＦａの周面に対してトナーを付着させることによって感光体ドラムＦａの周面上に静電潜像に基づくトナー画像を現像するものである。
【００２４】
一次転写ローラーＦｅは、中間転写ベルト２１を挟んで感光体ドラムＦａと対向配置され、感光体ドラムＦａに現像されたトナー画像を中間転写ベルト２１に一次転写するものである。二次転写ローラー２４は、中間転写ベルト２１を挟んで駆動ローラー２２と対向配置されており、中間転写ベルト２１表面に転写されているトナー画像（各色のトナー画像が重ね合されたもの）を、給紙カセット５０ａ、５０ｂ、５０ｃのいずれかから用紙搬送機構４０によって搬送される印刷用紙に２次転写するものである。クリーナー２５は、クリーニングローラーやクリーニングブレード等を備え、中間転写ベルト２１の残留トナーを除去するものである。
【００２５】
定着部３０は、印刷用紙上に二次転写されたトナー画像を定着させて完成画像とするものであり、加圧・加熱することによりトナー画像を定着させる加熱ローラー３１を備えている。なお、この加熱ローラー３１の発熱温度（つまり定着部３０の定着温度）は、後述の制御部７０によって制御可能となっている。
【００２６】
用紙搬送機構４０は、給紙カセット５０ａ、５０ｂ、５０ｃから印刷用紙を１枚ずつ搬出するためのピックアップローラー４１、４２、４３と、ピックアップした印刷用紙をトナー画像形成部２０（駆動ローラー２２と２次転写ローラー２４とのニップ部分）に搬送するための給紙ローラー４４、４５、４６と、定着部３０による定着処理後の印刷用紙を外部に排紙するための排紙ローラー４７等から構成されている。給紙カセット５０ａ、５０ｂ、５０ｃは、装置本体１に対して引き出し自在に取り付けられており、各種サイズの用紙を収容するものである。
【００２７】
一方、オプション装置である自動原稿送り装置２は、原稿載置トレイ６２にセットされた複数枚の原稿を１枚ずつ連続的に自動給紙するものであり、プラテンカバー６１、原稿載置トレイ６２、ピックアップローラー６３、レジストローラー６４、プラテンローラー６５及び排紙ローラー６６等から構成されている。
【００２８】
プラテンカバー６１は、原稿読取部１０の上面に対して開閉可能に設けられており、プラテンガラス１１上に原稿をセットして読み取りを行う場合における原稿押さえカバーとしての役割と、ピックアップローラー６３、レジストローラー６４、プラテンローラー６５及び排紙ローラー６６等の自動給紙機構に使用される部材の収納用筐体としての役割を担っている。なお、図１では、プラテンカバー６１が閉じられた状態を示している。
【００２９】
原稿載置トレイ６２は、読み取り対象の原稿をセットするためのトレイである。ピックアップローラー６３は、原稿載置トレイ６２にセットされた原稿を１枚ずつピックアップしてレジストローラー６４に送り出すためのローラーである。レジストローラー６４は、所定のタイミングで原稿をプラテンローラー６５に搬送するためのローラーである。プラテンローラー６５は、原稿を所定の原稿読取位置を経由して排紙ローラー６６に搬送するためのローラーである。排紙ローラー６６は、読み取り完了後の原稿を外部に排出するためのローラーである。
【００３０】
前述のように、自動原稿送り装置２によって原稿を自動給紙する場合、原稿読取部１０のフルレートキャリッジ１３及びハーフレートキャリッジ１４が所定の原稿読取位置にて待機しており、原稿載置トレイ６２にセットされた複数枚の原稿が１枚ずつ連続的に原稿読取位置を経由して搬送されることにより、各原稿が１枚ずつスキャンされる。
【００３１】
図２は、複合機Ａの機能ブロック図である。なお、この図２において、図１と同じ構成要素には同一符号を付し、説明を省略する。この図に示すように、装置本体１は、上述した原稿読取部１０、トナー画像形成部２０、定着部３０及び用紙搬送機構４０等に加えて、制御部７０、画像データメモリー７１、操作表示部７２及び通信Ｉ／Ｆ７３を備えている。なお、符号Ｂは、複合機Ａへ画像データを送信する外部機器（例えばパーソナルコンピューターやファクシミリ等）である。
【００３２】
制御部７０は、例えばＣＰＵ(Central Processing Unit)コアや、ＲＯＭ(Read Only Memory)、ＲＡＭ(Random Access Memory)等のメモリー、入出力インターフェイスなどが一体的に組み込まれたマイクロコンピューターであり、操作表示部７２から入力される操作信号、原稿読取部１０から得られた原稿画像データ、及び通信Ｉ／Ｆ７３を介して外部機器Ｂから受信した受信画像データに基づいて、複合機Ａの全体動作（自動原稿送り装置２による原稿送り動作、原稿読取部１０による原稿読取動作、トナー画像形成部２０によるトナー画像形成動作、定着部３０による定着動作、用紙搬送機構４０による用紙搬送動作など）を制御する。
【００３３】
なお、この制御部７０は、原稿読取部１０から得られた原稿画像データ、または通信Ｉ／Ｆ７３を介して外部機器Ｂから受信した受信画像データがＲＧＢ色空間データである場合には、それらの画像データをＣＭＹＫ色空間データに変換する機能も有している。周知のように、ＲＧＢ色空間データとは、光三原色であるＲ（赤）、Ｇ（緑）、Ｂ（青）の各色に対応する画素（画像を構成する最小単位）の階調値を示すデジタルデータである。
【００３４】
また、ＣＭＹＫ色空間データとは、Ｃ（シアン）、Ｍ（マゼンタ）、Ｙ（イエロー）の印刷用の色料（複合機Ａにおいてはトナー）の三原色にＫ（ブラック）を加えて画像を表現するデータである。電子写真方式の複合機Ａにおいては、ＣＭＹＫの各色毎に感光体表面に現像したトナー画像を重ね合わせて一枚のトナー画像を形成する。各色のトナー画像は、ドットと呼ばれるトナー配置ポイントの２次元配列によって構成されている。つまり、ＣＭＹＫ色空間データとは、各色のトナー画像について、どの位置のドットにトナーを配置するのかを２値で示すデジタルデータである。
【００３５】
画像データメモリー７１は、例えばフラッシュメモリーなどの書き換え可能な不揮発性メモリーであり、制御部７０による制御の下、原稿読取部１０から得られた原稿画像データや、通信Ｉ／Ｆ７３を介して外部機器Ｂから受信した受信画像データなどの画像データ（ＣＭＹＫ色空間データに変換された画像データも含む）を記憶する。
【００３６】
操作表示部７２は、操作キー部７２ａと表示部７２ｂとを備えており、ユーザーの操作に応じた操作信号を制御部７０に出力するとともに、制御部７０による制御の下、複合機Ａの状態を示す情報等の各種情報を表示する。操作キー部７２ａは、スタートキー、ストップ／クリアキー、電源キー、テンキー（数値入力キー）等のハードキーを備える。表示部７２ｂは、タッチパネル機能を有しており、ソフトキーを含む画面が表示される。
【００３７】
通信Ｉ／Ｆ７３は、複合機Ａ（詳しくは制御部７０）と外部機器Ｂとの間で通信を行うためのインターフェイスであり、ＬＡＮ(Local Area Network)等のネットワークによって外部機器Ｂと通信可能に接続されている。
【００３８】
次に、上記のように構成された複合機Ａの動作について説明する。
装置本体１の制御部７０は、その特徴的な機能として、オプション装置である自動原稿送り装置２の動作開始時に自動原稿送り装置２の電源をオンにする一方、その自動原稿送り装置２の動作終了時に自動原稿送り装置２の電源をオフにする機能（以下、省エネ機能と称す）を有している。以下では、図３のフローチャートを参照しながら、制御部７０が上記の省エネ機能を実現するために実行する処理について説明する。
【００３９】
制御部７０は、スリープモードから通常動作モードに復帰した時に、図３に示す処理を開始する。なお、スリープモードとは、必要最小限の機能（ユーザーによる操作表示部７２の操作や外部機器Ｂからのデータ受信を監視する機能など）のみを動作させて電力消費を最小限に抑えるモードを指す。このスリープモード中は、装置本体１の機能である原稿読取部１０、トナー画像形成部２０、定着部３０、用紙搬送機構４０等だけでなく、オプション装置である自動原稿送り装置２の電源もオフとなっている。
【００４０】
図３に示すように、制御部７０は、スリープモードから通常動作モードに復帰すると、まず、装置本体１の各機能（原稿読取部１０、トナー画像形成部２０、定着部３０、用紙搬送機構４０等）の電源と、オプション装置である自動原稿送り装置２の電源をオンにする（ステップＳ１）。
【００４１】
そして、制御部７０は、自動原稿送り装置２との初期通信を行い（ステップＳ２）、接続確認後にオプション装置として自動原稿送り装置２が接続されていることを内蔵メモリーに記憶し（ステップＳ３）、その後に自動原稿送り装置２の電源をオフにする（ステップＳ４）。
【００４２】
そして、制御部７０は、操作表示部７２から入力される操作信号を基にスタートキーが押下されたか否かを判断し（ステップＳ５）、「Ｎｏ」の場合には後述のステップＳ１６の処理に移行する。一方、制御部７０は、上記ステップＳ５にて「Ｙｅｓ」の場合（スタートキーの押下を検知した場合）、自動原稿送り装置２の電源をオンにし（ステップＳ６）、自動原稿送り装置２との通信を開始する（ステップＳ７）。
【００４３】
そして、制御部７０は、自動原稿送り装置２との通信により、自動原稿送り装置２に原稿がセットされているか否かを判断し（ステップＳ８）、「Ｎｏ」の場合、つまりスタートキーが押下されたにも関わらず、自動原稿送り装置２に原稿がセットされていなかった場合、自動原稿送り装置２の電源をオフにし（ステップＳ９）、ユーザーに対して原稿のセットを促すメッセージを表示部７２ｂに表示させた後、ステップＳ１６の処理に移行する（ステップＳ１０）。また、ステップＳ１０において、ユーザーに対して原稿のセットを促すメッセージを表示部７２ｂに表示させるようにしたが、プラテンガラス１１にセットされた原稿の読取動作を行わせるようにしてもよい。
【００４４】
一方、制御部７０は、上記ステップＳ５にて「Ｙｅｓ」の場合（自動原稿送り装置２に原稿がセットされていた場合）、自動原稿送り装置２に対して原稿送り動作の開始を指示すると共に、原稿読取部１０に対して原稿読み取り動作の開始を指示する（ステップＳ１１）。これにより、自動原稿送り装置２は、セットされた原稿を１枚ずつ連続的に所定の原稿読取位置へ向けて搬送する一方、原稿読取部１０は、原稿読取位置にて読み取った原稿の原稿画像データを生成して制御部７０に出力する。なお、制御部７０は、原稿読取部１０から取得した原稿画像データを、必要に応じてＣＭＹＫ色空間データに変換した後、画像データメモリー７１に保存する。
【００４５】
そして、制御部７０は、自動原稿送り装置２との通信により、自動原稿送り装置２による原稿送り動作が終了したか否かを判断し（ステップＳ１２）、「Ｎｏ」の場合には原稿送り動作が終了するまでステップＳ１２の処理を繰り返す一方、「Ｙｅｓ」の場合には自動原稿送り装置２の電源をオフにする（ステップＳ１３）。
【００４６】
そして、制御部７０は、画像データメモリー７１に保存された原稿画像データに基づいて、トナー画像形成部２０によるトナー画像形成動作、定着部３０による定着動作、用紙搬送機構４０による用紙搬送動作を制御することにより、原稿画像の印刷動作を開始する（ステップＳ１４）。
【００４７】
そして、制御部７０は、原稿画像の印刷動作が終了したか否かを判断し（ステップＳ１５）、「Ｎｏ」の場合には印刷動作が終了するまでステップＳ１５の処理を繰り返す一方、「Ｙｅｓ」の場合には自装置が不使用状態のまま一定時間経過したか否かを判断する（ステップＳ１６）。ここで、「不使用状態」とは、操作表示部７２が一切操作されず、且つ外部機器Ｂからのデータ受信が無い状態を指す。
【００４８】
制御部７０は、上記ステップＳ１６にて「Ｎｏ」の場合には上記ステップＳ５の処理に戻る一方、上記ステップＳ１６にて「Ｙｅｓ」の場合、つまり自装置が不使用状態のまま一定時間経過した場合にはスリープモードに切替わり、必要最小限の機能（ユーザーによる操作表示部７２の操作や外部機器Ｂからのデータ受信を監視する機能など）のみを残して、他機能（原稿読取部１０、トナー画像形成部２０、定着部３０、用紙搬送機構４０等）の電源をオフにした後、図３に示す処理を終了する（ステップＳ１７）。
【００４９】
このように、本実施形態によれば、自動原稿送り装置２の動作中に限って自動原稿送り装置２に電源が供給され、自動原稿送り装置２の動作終了時に即座に自動原稿送り装置２の電源がオフとなるので、従来技術よりも高い省エネ効果を得ることが可能となる。なお、装置本体１については、自動原稿送り装置２の電源をオフにした後、不使用状態のまま一定時間経過すればスリープモードに切替わるので、省エネ効果を損ねることはない。
【００５０】
以上、本発明の一実施形態について説明したが、本発明は上記実施形態に制限されることなく、本発明の範囲内で自由に変更が可能である。
上記ステップＳ５においてスタートキーが押下された場合に、ステップＳ６において自動原稿送り装置２の電源がオンされ、ステップＳ８において自動原稿送り装置２に原稿がセットされていない場合に、ステップＳ９において自動原稿送り装置２の電源がオフされるようにしたが、上記ステップＳ５においてスタートキーが押下され、且つ、自動原稿送り装置２に原稿がセットされている場合に、ステップＳ６において自動原稿送り装置２の電源がオンされ、ステップＳ１１の原稿送り動作が開始されるようにしてもよい。
また、例えば、上記実施形態では、本発明に係る画像形成装置として複合機Ａを例示して説明したが、本発明は、オプション装置を装着可能な画像形成装置に広く適用することができる。
【００５１】
また、上記実施形態では、オプション装置として自動原稿送り装置２を例示して説明したが、本発明は、様々なオプション装置に適用することができる。例えば、オプション装置が、装置本体１に対して補助的に印刷用紙を供給する補助給紙カセットである場合、コピー開始時（スタートキーの押下を検知した時）或いは外部機器Ｂからのデータ受信時に、補助給紙カセットからの給紙が選択されていれば、補助給紙カセットの電源をオンにし、電源オン後の初期通信にて印刷用紙の有無を確認し、印刷用紙があれば給紙を行い、給紙が全て完了すれば、即時に補助給紙カセットの電源をオフにすれば良い。
【符号の説明】
【００５２】
Ａ…複合機、１…装置本体、２…自動原稿送り装置（オプション装置）、１０…原稿読取部、２０…トナー画像形成部、３０…定着部、４０…用紙搬送機構、７０…制御部、７１…画像データメモリー、７２…操作表示部、７３…通信Ｉ／Ｆ、Ｂ…外部機器
【図１】
2014010232.tif 000003
【図２】
2014010232.tif 000004
【図３】
2014010232.tif 000005